(57)【特許請求の範囲】
【請求項１】
内部が貫通形成されて液状の材料が貯蔵された本体部と、
前記本体部の内部に挿入されて前記本体部に貯蔵された液状の材料が流入される少なくとも一つ以上の液流入ホールが形成された棒挿入桶と、
前記棒挿入桶の内部に挿入されてハウジングと前記ハウジングに挿入されるプッシ部材と、
前記プッシ部材と結合されて前記ハウジングの先端に突き出されるプッシ棒を含む圧入手段と、
前記ハウジングを収容するハウジング収容部と、
前記プッシ棒が挿入されるように前記ハウジング収容部から延長形成されて、前記プッシ棒の往復移動に沿って伸縮可能に形成される伸縮部と、
前記伸縮部から延長形成される連結部と、
前記連結部に一部が挿入されてブラシが取り付けられたブラシ支持片を含むブラシ支持手段と、
前記棒挿入桶に収容されて、前記ブラシ支持片の少なくとも一部の外周面に沿って置かれて、前記本体部の外部の第１方向へ移動された前記ブラシ支持片を前記第１方向と反対になる第２方向へ復元させる弾性部材と、
前記本体部と結合されるキャップと、
を含むことを特徴とする化粧品容器。
【請求項２】
前記棒挿入桶の後段には、外周面に第１締結部が形成された容器栓が形成されて、前記本体部の後段内部には前記第１締結部と締結される第２締結部が形成され、
前記第１締結部の外側に前記棒挿入桶の長さ方向に沿って溝が形成されるか、または内側に貫通ホールが形成されることを特徴とする請求項１に記載の化粧品容器。
【請求項３】
前記本体部の後段部に結合される容器栓をさらに含むことを特徴とする請求項１に記載の化粧品容器。
【請求項４】
前記容器栓には貫通ホールが形成されるが、前記ハウジング収容部は、前記ハウジングが収容された状態で前記貫通ホールに挟みこみ方式で挿入されて、前記ハウジングの外周面には前記ハウジング収容部との密着のための一つ以上の突出部が形成されることを特徴とする請求項２または３に記載の化粧品容器。
【請求項５】
前記本体部の先端部には、前記棒挿入桶の先端部が収容されて、
前記棒挿入桶の先端部の内部は前記ブラシが収容される空間部を含み、
前記棒挿入桶の先端部外側は前記本体部の先端部内側に密着されることを特徴とする請求項１に記載の化粧品容器。
【請求項６】
前記棒挿入桶の先端部には前記本体部に存在する液状材料を前記空間部に流入させるための少なくとも一つの第１貫通ホールが形成されることを特徴とする請求項５に記載の化粧品容器。
【請求項７】
前記棒挿入桶の先端部の立ち上がり部分と前記第１貫通ホールが形成された中間部分の外側は、前記本体部の先端部内側と離隔されるように形成されて、前記棒挿入桶の先端部の端部分の外側は、前記本体部の先端部の内側と密着されるように形成されることを特徴とする請求項６に記載の化粧品容器。
【請求項８】
前記棒挿入桶の先端部の中間部分の外周面には、前記第１貫通ホールから前記第２方向へ延びる溝が形成されて、
前記本体部に存在する液状材料は、前記溝に沿って流れこみ、前記第１貫通ホールに流入されるが、
前記溝は、前記第２方向へ延びるが、前記第１方向へ延びる折り曲げ部を通って前記第２方向へ延びることを特徴とする請求項６に記載の化粧品容器。
【請求項９】
前記棒挿入桶の先端部の立ち上がり部分に挿入固定されて、前記ブラシ支持片の前記第１及び第２方向への移動を案内する案内ホール及び前記案内ホールから前記第２方向へ延長形成されて、前記案内ホールの内径より大きい内径を有する収容ホールを含む案内部材をさらに含むことを特徴とする請求項５に記載の化粧品容器。
【請求項１０】
前記ブラシ支持片は、前記ブラシ支持片の一領域から突き出された拡径部及び前記拡径部の下側領域には外径が縮小された狭径部を含むが、
前記収容ホール内に存在する液状材料は前記拡径部によって前記第１方向へ移動し、前記狭径部の外周面に沿って前記棒挿入桶の空間部に流入されるが、
前記拡径部の外径は前記収容ホールの内径に相応し、前記狭径部の外径は前記案内ホールの内径より小さくて、
前記ブラシ支持片が前記第１方向へ移動することによって前記拡径部及び狭径部は、前記案内部材に進入して前記拡径部が前記収容ホールに進入し始めた後から前記狭径部は前記案内ホールから離脱することを特徴とする請求項９に記載の化粧品容器。
【請求項１１】
前記ブラシ支持片は前記ブラシ支持片の一領域から突き出された拡径部及び前記拡径部の下側領域に形成される少なくとも一つ以上の貫通ホールを含むが、
前記貫通ホールは第１貫通ホール及び第２貫通ホールを含み、前記ブラシ支持片が前記第１方向へ移動することによって前記拡径部、前記第１貫通ホール及び前記第２貫通ホールは前記案内部材に進入し、前記拡径部が前記収容ホールに進入が始まった後から前記第２貫通ホールは前記案内ホールを離脱し始め、前記収容ホール内に存在する液状材料は、前記拡径部が前記案内部材に進入する時前記第１貫通ホールに流入されて、前記第２貫通ホールを通って流出し始めて前記棒挿入桶の空間部に流入されることを特徴とする請求項９に記載の化粧品容器。
【請求項１２】
前記プッシ棒の先端部は、前記ブラシ支持片の後段部に接触されて、
前記プッシ棒の後段部と前記プッシ部材の一端はねじ結合方式に従って結合可能であり、解れ位置で前記プッシ棒の後段部と前記プッシ部材の一端は分離し、ロック位置で前記プッシ棒の後段部と前記プッシ部材の一端とは結合されて、
前記ロック位置で前記プッシ部材に作用する外力によって前記プッシ棒は前記第１方向へ移動されて前記ブラシ支持片の先端部に備えられたブラシを本体部の外側へ移動させることを特徴とする請求項１に記載の化粧品容器。
【請求項１３】
前記プッシ棒の中端部の断面形状及び前記プッシ棒の中端部が通過する前記ハウジング先端部に形成された溝の断面形状は、多角形または楕円形状であるが、
前記プッシ棒の中端部は一領域から突き出された突出領域を含み、前記突出領域の外側面が前記ハウジング先端部に形成された溝に挟み込み方式で挿入された後には逆に離脱されないことを特徴とする請求項１に記載の化粧品容器。
【請求項１４】
前記突出領域の外側面及び前記溝の内側面は、前記溝に挿入される方向へテーパーされうることを特徴とする請求項１３に記載の化粧品容器。
【請求項１５】
前記プッシ部材の他端には、前記第１方向を横切る方向へ摺動移動可能に形成される引っかかり部材が結合されることができ、
前記引っかかり部材は前記プッシ部材が前記第１方向へ移動が完了した位置で前記第１方向を横切る方向へ移動し、一端はが前記容器栓の縁にかかった状態で前記プッシ部材の前記第２方向への移動を抑制することを特徴とする請求項３に記載の化粧品容器。
【請求項１６】
前記プッシ部材は、前記プッシ部材の他端から突出形成される突出部と、
前記突出部と前記プッシ部材の他端との間に形成される環形の溝部と、
をさらに含むことを特徴とする請求項１に記載の化粧品容器。
【請求項１７】
内部が貫通形成されて液状の材料が貯蔵される本体及び前記本体の後段に伸縮可能に形成される伸縮部を含む胴体部と、
前記胴体部の内部に挿入されて、前記胴体部に貯蔵された液状の材料が流入される少なくとも一つ以上の液流入ホールが形成された棒挿入桶と、
前記棒挿入桶の内部に挿入されて、先端にブラシが装着されるブラシ支持片と、
前記ブラシ支持片の後段と結合されて、前記伸縮部の内部に収容されるプッシ部材と、
前記棒挿入桶に収容されて前記ブラシ支持片の少なくとも一部の外周面に沿って置かれる弾性部材と、
前記胴体部の先端部に結合されるキャップと、
前記棒挿入桶の後段に結合されて貫通ホールを含む密閉栓を含むが、
前記プッシ部材の一端は前記貫通ホールを通過して前記ブラシ支持片の後段と結合し、
前記伸縮部に外力が加えられる場合、前記プッシ部材は前記ブラシを前記胴体部外部の第１方向へ移動させ、前記外力が除去される場合、前記弾性部材は前記ブラシを前記第１方向へ反対の第２方向へ移動させることを特徴とする化粧品容器。
【請求項１８】
前記棒挿入桶の先端部の一領域には外部に突き出された支承部が形成されて、
前記棒挿入桶は、前記胴体部の先端部を通じて挿入されて、
前記支承部は、前記胴体部の先端部の端に支持されて、
前記棒挿入桶の先端部に挿入固定されて、
前記ブラシが収容される空間部を形成する第１収容ホールと、
前記第１収容ホールから延長形成されて前記ブラシ支持片の前記第１及び第２方向への移動を案内する案内ホールと、
前記案内ホールから延長形成されて、
前記案内ホールの内径より大きい内径を有する第２収容ホールを含む案内部材と、をさらに含むことを特徴とする請求項１７に記載の化粧品容器。
【請求項１９】
前記ブラシ支持片は、前記ブラシ支持片の一領域から突き出された拡径部及び前記拡径部の下側領域に形成される第１貫通ホール及び第２貫通ホールを含み、
前記ブラシ支持片が前記第１方向へ移動することによって前記拡径部、前記第１貫通ホール及び前記第２貫通ホールは、前記案内部材に進入して、前記拡径部が前記第２収容ホールに進入し始めた以後、前記第２貫通ホールは前記案内ホールを脱し始めて、
前記第２収容ホール内に存在する液状材料は、前記拡径部が前記案内部材に進入する時前記第１貫通ホールに流入されて、前記第２貫通ホールを通じて流出し始めて前記空間部に流入されることを特徴とする請求項１８に記載の化粧品容器。
【請求項２０】
前記ブラシ支持片は、前記ブラシ支持片の一領域から突き出された拡径部及び前記拡径部の下側領域に形成された外径が縮小された狭径部を含むが、
前記第２収容ホール内に存在する液状材料は前記拡径部によって前記第１方向へ移動して前記狭径部の外周面に沿って前記空間部に流入されて、
前記拡径部の外径は前記第２収容ホールの内径に相応し、前記狭径部の外径は前記案内ホールの内径より小さくて、
前記ブラシ支持片が前記第１方向へ移動することによって前記拡径部及び狭径部は前記案内部材に進入し、前記拡径部が前記第２収容ホールに進入し始めた直後から前記狭径部は前記案内ホールを脱し始めることを特徴とする請求項１８に記載の化粧品容器。
【発明の詳細な説明】
【技術分野】
【０００１】
本発明は、化粧品容器に関する。
【背景技術】
【０００２】
従来のマニキュア容器は、ねじ部の形成された瓶の首を有する瓶にマニキュア液を貯蔵し、前記瓶の首のねじ部にねじ結合される栓及び取っ手の中央には支持棒が具備されている。そして、前記支持棒の下端にはブラシが取り付けられている。
【０００３】
上記のように構成された一般的なマニキュア容器は、前記取っ手を回してマニキュア液が貯蔵された瓶を開けた後、マニキュア液に含沈されたブラシをしきりに爪に当てながら塗って使う。
【０００４】
しかし、このような従来のマニキュア容器は、手入れしようとする爪や足指の爪にマニキュアを塗る時、マニキュア液にブラシをしきりに含沈しなければならないため、ブラシを瓶に浸したり取り出したりすることを繰り返さなければならない不自由があった。
【０００５】
さらに、マニキュア使用の際、瓶を横において使っている途中で不注意によって瓶が倒れたりするような場合があり、マニキュアの使用を終えた後にはマニキュアがまだ乾かなかった状態でブラシを瓶に入れて栓を回している途中でマニキュアにきずが生じて再び塗らなければならない場合があるなど、色々の不自由が多かった。
【０００６】
また、マニキュア溶液にはシンナー成分が含有されているため、製品の特性により揮発性が強くて栓をしっかりと密閉させない以上、溶液が簡単に揮発されるという問題がいつも内在されていた。つまり、従来の結合方法によっては栓が確かな密閉力を維持することができず、容器内の溶液が揮発して溶液が固まったり変質したりしてしまい、製品としての機能を失うなどの問題があった。
【発明の概要】
【発明が解決しようとする課題】
【０００７】
したがって、本発明は上記の問題を解決するために案出された発明で、その目的は、ユーザーに作業の便宜性を提供することができる改善した化粧品容器を提供することである。
【０００８】
また、本発明は、製品または液状を安定的に保管して製品の寿命を延長することができる化粧品容器を提供することを目的とする。
【０００９】
また、本発明の他の目的は、下記の実施例を通じて当業者によって容易に実施することができる。
【課題を解決するための手段】
【００１０】
上記の目的を達成するために本発明の好ましい一実施例によれば、内部が貫通形成されて液状の材料が貯蔵された本体部と、前記本体部の内部に挿入されて前記本体部に貯蔵された液状の材料が流入される少なくとも一つ以上の液流入ホールが形成された棒挿入桶と、前記棒挿入桶の内部に挿入されてハウジングと前記ハウジングに挿入されるプッシ部材と、前記プッシ部材と結合されて前記ハウジングの先端に突き出されるプッシ棒を含む圧入手段と、前記ハウジングを収容するハウジング収容部と、前記プッシ棒が挿入されるように前記ハウジング収容部から延長形成されて、前記プッシ棒の往復移動に沿って伸縮可能に形成される伸縮部と、前記伸縮部から延長形成される連結部と、前記連結部に一部が挿入されてブラシが取り付けられたブラシ支持片を含むブラシ支持手段と、前記棒挿入桶に収容されて、前記ブラシ支持片の少なくとも一部の外周面に沿って置かれて、前記本体部の外部の第１方向へ移動された前記ブラシ支持片を前記第１方向と反対になる第２方向へ復元させる弾性部材と、前記本体部と結合されるキャップを含むことを特徴とする。
【００１１】
また、前記棒挿入桶の後段には、外周面に第１締結部が形成された容器栓が形成されて、前記本体部の後段内部には前記第１締結部と締結される第２締結部が形成され、前記第１締結部の外側に前記棒挿入桶の長さ方向に沿って溝が形成されるか、または内側に貫通ホールが形成されることを特徴とする。
【００１２】
また、前記本体部の後段部に結合される容器栓をさらに含むことを特徴とする。
【００１３】
また、前記容器栓には貫通ホールが形成されるが、前記ハウジング収容部は前記ハウジングが収容された状態で前記貫通ホールに挟みこみ方式で挿入されて、前記ハウジングの外周面には前記ハウジング収容部との密着のための一つ以上の突出部が形成されることを特徴とする。
【００１４】
また、前記本体部の先端部には前記棒挿入桶の先端部が収容されて、前記棒挿入桶の先端部の内部は前記ブラシが収容される空間部を含み、前記棒挿入桶の先端部外側は前記本体部の先端部内側に密着されることを特徴とする。
【００１５】
また、前記棒挿入桶の先端部には前記本体部に存在する液状材料を前記空間部に流入させるための少なくとも一つの第１貫通ホールが形成されることを特徴とする。
【００１６】
また、前記棒挿入桶の先端部の立ち上がり部分と前記第１貫通ホールが形成された中間部分の外側は、前記本体部の先端部内側と離隔されるように形成されて、前記棒挿入桶の先端部の端部分の外側は前記本体部の先端部の内側と密着されるように形成されることを特徴とする。
【００１７】
また、前記棒挿入桶の先端部の中間部分の外周面には、前記第１貫通ホールから前記第２方向へ延びる溝が形成されて、前記本体部に存在する液状材料は、前記溝に沿って流れこみ、前記第１貫通ホールに流入されるが、前記溝は前記第２方向へ延びるが、前記第１方向へ延びる折り曲げ部を通って前記第２方向へ延びることを特徴とする。
【００１８】
また、前記棒挿入桶の先端部の立ち上がり部分に挿入固定されて、前記ブラシ支持片の前記第１及び第２方向への移動を案内する案内ホール及び前記案内ホールから前記第２方向へ延長形成されて、前記案内ホールの内径より大きい内径を有する収容ホールを含む案内部材をさらに含むことを特徴とする。
【００１９】
また、前記ブラシ支持片は、前記ブラシ支持片の一領域から突き出された拡径部及び前記拡径部の下側領域には外径が縮小された狭径部を含むが、前記収容ホール内に存在する液状材料は前記拡径部によって前記第１方向へ移動し、前記狭径部の外周面に沿って前記棒挿入桶の空間部に流入されるが、前記拡径部の外径は前記収容ホールの内径に相応し、前記狭径部の外径は前記案内ホールの内径より小さくて、前記ブラシ支持片が前記第１方向へ移動することによって前記拡径部及び狭径部は、前記案内部材に進入して前記拡径部が前記収容ホールに進入し始めた後から前記狭径部は前記案内ホールから離脱することを特徴とする。
【００２０】
また、前記ブラシ支持片は前記ブラシ支持片の一領域から突き出された拡径部及び前記拡径部の下側領域に形成される少なくとも一つ以上の貫通ホールを含むが、
前記貫通ホールは第１貫通ホール及び第２貫通ホールを含み、前記ブラシ支持片が前記第１方向へ移動することによって前記拡径部、前記第１貫通ホール及び前記第２貫通ホールは前記案内部材に進入し、前記拡径部が前記収容ホールに進入が始まった後から前記第２貫通ホールは前記案内ホールを離脱し始め、前記収容ホール内に存在する液状材料は、前記拡径部が前記案内部材に進入する時前記第１貫通ホールに流入されて、前記第２貫通ホールを通って流出し始めて前記棒挿入桶の空間部に流入されることを特徴とする。
【００２１】
また、前記プッシ棒の先端部は、前記ブラシ支持片の後段部に接触されて、前記プッシ棒の後段部と前記プッシ部材の一端はねじ結合方式に従って結合可能であり、解れ位置で前記プッシ棒の後段部と前記プッシ部材の一端は分離し、ロック位置で前記プッシ棒の後段部と前記プッシ部材の一端とは結合されて、前記ロック位置で前記プッシ部材に作用する外力によって前記プッシ棒は前記第１方向へ移動されて前記ブラシ支持片の先端部に備えられたブラシを本体部の外側へ移動させることを特徴とする。
【００２２】
前記プッシ棒の中端部の断面形状及び前記プッシ棒の中端部が通過する前記ハウジング先端部に形成された溝の断面形状は、多角形または楕円形状であるが、前記プッシ棒の中端部は一領域から突き出された突出領域を含み、前記突出領域の外側面が前記ハウジング先端部に形成された溝に挟み込み方式で挿入された後には逆に離脱されないことを特徴とする。
【００２３】
また、前記突出領域の外側面及び前記溝の内側面は、前記溝に挿入される方向へテーパーされうることを特徴とする。
【００２４】
また、前記プッシ部材の他端には、前記第１方向を横切る方向へ摺動移動可能に形成される引っかかり部材が結合されることができ、前記引っかかり部材は前記プッシ部材が前記第１方向へ移動が完了した位置で前記第１方向を横切る方向へ移動し、一端はが前記容器栓の縁にかかった状態で前記プッシ部材の前記第２方向への移動を抑制することを特徴とする。
【００２５】
前記プッシ部材は、前記プッシ部材の他端から突出形成される突出部と、前記突出部と前記プッシ部材の他端との間に形成される環形の溝部をさらに含むことを特徴とする。
【００２６】
さらに、本発明の他の実施例によれば、内部が貫通形成されて液状の材料が貯蔵される本体及び前記本体の後段に伸縮可能に形成される伸縮部を含む胴体部と、前記胴体部の内部に挿入されて、前記胴体部に貯蔵された液状の材料が流入される少なくとも一つ以上の液流入ホールが形成された棒挿入桶と、前記棒挿入桶の内部に挿入されて、先端にブラシが装着されるブラシ支持片と、前記ブラシ支持片の後段と結合されて、前記伸縮部の内部に収容されるプッシ部材と、前記棒挿入桶に収容されて前記ブラシ支持片の少なくとも一部の外周面に沿って置かれる弾性部材と、前記胴体部の先端部に結合されるキャップと、前記棒挿入桶の後段に結合されて貫通ホールを含む密閉栓を含むが、前記プッシ部材の一端は前記貫通ホールを通過して前記ブラシ支持片の後段と結合し、前記伸縮部に外力が加えられる場合、前記プッシ部材は前記ブラシを前記胴体部外部の第１方向へ移動させ、前記外力が除去される場合、前記弾性部材は前記ブラシを前記第１方向へ反対の第２方向へ移動させることを特徴とする。
【発明の効果】
【００２７】
以上のように、本発明の実施例によれば、化粧品容器の密閉構造を確保して化粧品液が容器内部で固まるような現象を予防することができるという効果がある。
【００２８】
また、本発明の実施例によれば、化粧品容器を安定的に保管して製品の寿命を延長することができるという効果がある。
【００２９】
また、本発明の実施例によれば、化粧品容器を使うにおいて基本方式に比べて一層便利で易しく作業することができるという効果がある。
【図面の簡単な説明】
【００３０】
【図１】本発明の一実施例による化粧品容器を示した斜視図である。
【図２】本発明の一実施例による化粧品容器の分解斜視図である。
【図３】本発明の一実施例による化粧品容器の断面図である。
【図４】本発明の一実施例による化粧品容器の断面図である。
【図５】本発明の一実施例によってブラシが下に向ける時化粧品容器内のマニキュア液の流れを模式的に示した図面である。
【図６】本発明の他の実施例による棒挿入通の先端部に対する拡大図である。
【図７】本発明の一実施例による棒挿入通の先端部の内部にマニキュア液が流入される過程を追加的に示した図面である。
【図８】本発明の他の実施例による化粧品容器を示した斜視図である。
【図９】図８の化粧品容器の分解斜視図である。
【図１０】図８のプッシ部材の断面図である。
【図１１】本発明の他の実施例による棒挿入桶先端部の一部断面図である。
【図１２】本発明の他の実施例による化粧品容器の先端部の一部断面図である。
【図１３】本発明の他の実施例による化粧品容器の先端部の一部断面図を示した図面である。
【図１４】本発明の他の実施例によるブラシ支持手段の斜視図を示した図面である。
【図１５】本発明の一実施例による化粧品容器を示した斜視図である。
【図１６】本発明の一実施例による化粧品容器の動作を示した斜視図である。
【図１７】本発明の一実施例による化粧品容器の分解斜視図である。
【図１８】本発明の一実施例による化粧品容器の断面図である。
【図１９】本発明の一実施例による化粧品容器の断面図である。
【図２０】本発明の一実施例によってブラシが下に向ける時化粧品容器内のマニキュア液の流れを模式的に示した図面である。
【図２１】本発明の他の実施例によるブラシが下に向ける時化粧品容器内のマニキュア液の流れを模式的に示した図面である。
【発明を実施するための形態】
【００３１】
本発明は、多様な変更を加えることができ、かつさまざまな実施例を有することができるところ、特定実施例等を図面に例示して発明の詳細な説明について詳細に説明する。しかし、これは本発明を特定の実施形態に対して限定しようとするものではなく、本発明の思想及び技術の範囲に含まれるすべての変更、均等物ないし代替物を含むものと理解しなければならない。また、各図面を説明しながら類似した参照符号を類似した構成要素に対して付けてある。
【００３２】
本発明の容器はマニキュア、リップグロス、修正液などのように比較的粘度の高い液状材料を使っているすべての容器に適用可能である。
【００３３】
以下では、容器１００に注入される液状の材料はマニキュア液とし、容器はマニキュア容器であることに仮定して説明するが、本発明がこれに限定されるものではない。
【００３４】
以下、本発明による実施例を添付された図面を参照して詳細に説明する。
【００３５】
図１は、本発明の一実施例による化粧品容器の斜視図である。本発明の一実施例による化粧品容器１００は、大きく分けてマニキュア液など、液状の材料が貯蔵された胴体部１５０、前記胴体部１５０の一側に備えられたキャップ１９０、前記胴体部１５０の他側に備えられた圧入手段１４０、及び前記圧入手段１４０の動作によって移動するブラシの通路を提供する棒挿入桶１１０を含む。
【００３６】
胴体部１５０は、内部のマニキュアが見える透明材質または半透明材質で形成されることができ、硝子または合成樹脂素材等いずれも使用可能である。
【００３７】
キャップ１９０は、図１から分かるように、底面が平たく形成されているので保管時にキャップ１９０が下側を向けるように立てておくことができる。
【００３８】
図２は、本発明の一実施例による化粧品容器の分解斜視図である。図２を参照すれば、本発明の一実施例による化粧品容器１００は、内部が貫通形成されて内部に液状の材料を保管する胴体部１５０と、前記胴体部１５０の内部に挿入された後に胴体部１５０に貯蔵されたマニキュア液が流入される少なくとも一つ以上の液流入ホール１１６１が形成された棒挿入桶１１０を備える。
【００３９】
また、本発明の一実施例に係わる化粧品容器１００は、前記棒挿入桶１１０の内部に挿入される圧入手段１４０を含む。前記圧入手段１４０は、ハウジング１４１、前記ハウジング１４１に結合されるプッシ部材１４３、前記プッシ部材１４３の内部に挿入されて前記ハウジング１４１の先端に突き出される押棒１４５を含む。
【００４０】
また、本発明の一実施例に係わる化粧品容器１００は、ブラシ１２９を含むブラシ支持手段１２０を提供する。前記ブラシ支持手段１２０は、前記圧入手段１４０のハウジング１４１を収容するハウジング収容部１２１、前記押棒１４５が挿入されるように前記ハウジング収容部１２１から延長形成されて前記押棒１４５の往復移動に応じて伸縮可能に形成される伸縮部１２３、前記伸縮部１２３から延長形成される連結部１２５、前記連結部１２５に一部が挿入されて先端にブラシが取り付けられたブラシ支持片１２７を含む。
【００４１】
また、本発明の一実施例では、前記ブラシ支持片１２７を弾性的に復元または移動可能にする弾性部材１８０を含む。前記弾性部材１８０は、前記棒挿入桶１１０に収容され、前記ブラシ支持片１２７の外周面に位置して胴体部１５０外部の第１方向Ｄ１へ移動されたブラシ支持片１２７を、第１方向Ｄ１に反対の第２方向Ｄ２に弾性的に復元させることができる。
【００４２】
また、本発明の一実施例では、前記胴体部１５０の先端部１５２に結合されるキャップ１９０と、前記胴体部１５０の後段部１５６に結合される容器栓１７０がさらに含まれることができる。
【００４３】
前記容器栓１７０は、内部に貫通ホール１７０１が形成され、前記胴体部１５０の後段部１５６に結合される。また、前記胴体部１５０の後段部１５６には、雄ねじ１５６１が形成されて容器栓１７０の貫通ホール１７０１の周辺に形成された雌ねじ１７０３に結合されることができる。
【００４４】
また、前記棒挿入桶１１０先端部１１２内部の空間にはブラシ１２９が収容されて位置し、前記棒挿入桶１１０の後段部１１４は、前記容器栓１７０から突き出された貫通ホール１７０１の外部を収容して結合されることができる。
【００４５】
また、前記ブラシ支持手段１２０のハウジング収容部１２１は、圧入手段１４０のハウジング１４１を外接して収容した状態で、前記容器栓１７０の貫通ホール１７０１に挿入されて結合される。この時、結合方式は挟みこみ方式を利用することができる。
【００４６】
また、ハウジング１４１の外周面には、前記ハウジング収容部１２１との堅固な密着のために一つ以上の突出部１４１３などをさらに形成することができる。ここで、突出部１４１３は、ねじ線の形態で形成されることができる。
【００４７】
本発明の一実施例に係わる化粧品容器１００の結合構造は、ブラシ支持手段１２０のハウジング収容部１２１が、圧入手段１４０のハウジング１４１を収容したまま容器栓１７０に挟み込み方式で固定され、このような容器栓１７０に棒挿入桶１１０の後段部１１４が結合し、容器栓１７０に再び胴体部１５０の後段部１５６が固定されることで、化粧品容器１００の全体的な骨格を形成することができる。
【００４８】
また、胴体部１５０の本体１５４は、ユーザーが手で取る部分であり、胴体部１５０の先端部１５２及び後段部１５６より大きい直径を有するように形成することが好ましい。また、容器栓１７０と結合するようになる胴体部１５０の後段部１５６は、先端部１５２より大きい直径を有することで、構造的な剛性が確保できるようにする。
【００４９】
図３Ａ、Ｂ及び図４は、本発明の一実施例による化粧品容器の断面図である。この時、図３はブラシが容器の内部に収容された場合の断面図であり、図４は、ブラシが容器の外部に突き出された場合の断面図である。
【００５０】
以下では、本発明の一実施例に係わる化粧品容器１００の動作についてさらに詳しく説明する。
【００５１】
圧入手段１４０は、ユーザーの外力をブラシ支持手段１２０に伝達する装置であり、ハウジング１４１、プッシ部材１４３及び押棒１４５を含む。
【００５２】
前記押棒１４５は、前記ブラシ支持手段１２０に収容された状態で第１方向Ｄ１で加えられる外力によって移動し、ブラシ支持手段１２０のブラシ支持片１２７を第１方向Ｄ１に押して移動させる。
【００５３】
プッシ部材１４３は、少なくとも一部がハウジング１４１に収容された状態で第１方向Ｄ１及び第２方向Ｄ２へ移動し、一端１４３３は、押棒１４５と結合可能に形成され、他端１４３１には、ユーザーの外力が作用する。
【００５４】
より詳細には、押棒１４５は前記プッシ部材１４３の一端１４３３と結合可能に形成される後段部１４５１、ブラシ支持手段１２０のブラシ支持片１２７と接触する先端部１４５５及びハウジング１４１を貫通して移動する中端部１４５３に区分することができる。
【００５５】
押棒１４５の後段部１４５１は、プッシ部材１４３の一端１４３３の内部に形成されたねじ線１４３３Ａとねじ結合方式に従って結合可能である。すなわち、解れ位置で押棒１４５の後段部１４５１とプッシ部材１４３の一端１４３３は分離し、ロック位置で押棒１４５の後段部１４５１とプッシ部材１４３の一端１４３３は結合されることができる。
【００５６】
上記のような構造によってプッシ部材１４３は解れ位置及びロック位置の中でロック位置でのみ押棒１４５を第１方向Ｄ１に押して移動させることができる。
【００５７】
すなわち、本発明の一実施例による押棒１４５とプッシ部材１４３は、必要に応じて一体に結合され、第１方向Ｄ１で加えられる外力がブラシ１２９を支持するブラシ支持片１２７まで伝達されるようにし、必要に応じて分離して第１方向Ｄ１に加えられる外力がブラシ支持片１２７まで伝達されないようにする。ここで、前者はユーザーがマニキュアを使う時の状況に見ることができ、後者は使用後保管する時の状況に見ることができる。
【００５８】
一例として、ユーザーがマニキュアを使う時にはプッシ部材１４３を反時計周りの方向へ回してプッシ部材１４３と押棒１４５とを結合させた後、プッシ部材１４３を第１方向Ｄ１に押すことでマニキュア液に含浸されていたブラシ１２９を、胴体部１５０の外へ取り出して作業することができ、マニキュアを長期間保管する時にはプッシ部材１４３を時計方向回りに回してプッシ部材１４３と押棒１４５とを分離させることで、所望しない外力によってプッシ部材１４３が押される場合が発生するにしてもブラシ１２９が胴体部１５０の外に引き出されないようにすることができる。すなわち、プッシ部材１４３を図４のように押しておいてもブラシ１２９は外に引き出されることはない。
【００５９】
一方、ユーザーがプッシ部材１４３を反時計回りの方向へ回してプッシ部材１４３の一端１４２と押棒１４５の後段部１４５１とを結合できるように、プッシ部材１４３を回転させる時押棒１４５が一緒に回らないようにプッシ棒をして固定させる必要がある。このために、押棒１４５の中端部１４５３は、先端部１４５５や後段部１４５１とは異なる断面形状を有することができる。
【００６０】
一例として、押棒１４５の先端部１４５５と後段部１４５１は、断面形状が原型でありえるし、中端部１４５３は、断面の形状が多角形または楕円形状でありえる。
【００６１】
また、押棒１４５の中端部が通過するハウジング１４１の先端部に形成された溝１４１５の断面形状をも多角形または楕円形状でありえる。
【００６２】
前述したように、押棒１４５の中端部１４５３は、ハウジング１４１の一側を貫通して移動する構成要素であり、ハウジング１４１は、ブラシ支持手段１２０のハウジング収容部１２１とともに容器栓１７０に固定されているので、押棒１４５の中端部１４５３の断面形状を多角形または楕円形状で構成することで押棒１４５と連結されたプッシ部材１４３を回転させても、押棒１４５がプッシ部材１４３とともに回転することなく、押棒１４５の後段部１４５１がプッシ部材１４３の一端１４３３に形成されたねじ線１４３３Ａにねじ結合方式に従って結合されることができるようにする。
【００６３】
上記において、プッシ部材１４３が反時計回り方向へ回るとき押棒１４５と結合されることを説明したが、時計回り方向へ回る時、プッシ部材１４３が押棒１４５と結合されるようにねじ線１４４３Ａを形成することができることは勿論である。
【００６４】
本発明の一実施例によれば、押棒１４５の中端部１４５３は、一領域から突き出された突出領域１４５４を含み、突出領域１４５４の外側面及び溝１４１５の内側面は、前記溝１４１５に挿入される方向へテーパー形状を有する。
【００６５】
図３Ａ及びＢは、押棒１４５とハウジング収容部１２１の一部を拡大した図面である。
【００６６】
図３Ａを参照すれば、テーパー形状を有する突出領域１４５４は、溝１４１５に挟み込みの形態で挿入される。一度挿入された突出領域１４５４は、突出領域１４５４の後段部が図３Ｂのように溝１４１５の先端部にひっかかるようになるので押、棒１４５がハウジング収容部１２１から第２方向Ｄ２へ逆に離脱することを防止する。
【００６７】
本発明の実施例では、テーパー形状を一例として提示したが、逆に離脱することを防止する多様な方法が利用可能であることは勿論である。
【００６８】
また、本発明の一実施例によれば、押棒１４５の移動に応じてブラシ支持手段１２０の伸縮部１２３は、ハウジング収容部１２１が容器栓１７０に固定された状態で第１方向Ｄ１及び第２方向Ｄ２へ伸縮可能に形成されうる。このために、伸縮部１２３は、柔軟性のある材質で形成されることができる。
【００６９】
図２において、伸縮部１２３はしわ形態の模様を有することものに仮定するが、伸縮動作のための多様な構造が適用されうる。
【００７０】
押棒１４５は、ハウジング収容部１２１及び伸縮部１２３に収容されたまま、棒挿入桶１１０を出入りするので、マニキュア液に直接露出しなくなる。もし、図３及び図４においてハウジング収容部１２１及び伸縮部１２３の構成なしに押棒１４５が棒挿入桶１１０を出入りすると、ブラシ１２９が胴体部１５０の外部に突き出される時に、押棒１４５にマニキュア液がつくことになる。
【００７１】
前記ブラシ１２９が胴体部１５０の内部に再び収容される場合、押棒１４５はハウジング１４１の内部へ移動される。この時、押棒１４５の中端部１４５３についたマニキュア液は、空気に露出して硬化されうる。この場合、押棒１４５の中端部１４５３は、ハウジング１４１の先端部に形成された溝１４５１を円滑へ移動することができないような問題が発生しえる。
【００７２】
すなわち、伸縮部１２３は、押棒１４５の第１方向Ｄ１及び第２方向Ｄ２への移動に応じて伸縮しながら押棒１４５がマニキュア液に直接露出することを防止することで、押棒１４５が円滑へ移動できるようにする。
【００７３】
また、本発明の一実施例によれば、化粧品容器１００は外部空気との接触によって易しく固まるメニティユオ液を保護できるように密閉構造を提供する。
【００７４】
すなわち、図２ないし図４に示されたように、ハウジング収容部１２１は、ハウジング１４１と容器栓１７０との間に挟みこみ方式で固定することができ、ハウジング収容部１２１がハウジング１４１と容器栓１７０との間に固定された状態でブラシ支持手段１２０は第１及び第２方向へ伸縮することができる。密閉のために、ハウジング１４１の外径は、ハウジング収容部１２１の内径に相応し、容器栓１７０の内径はハウジング収容部１２１の外径と相応することが好ましい。
【００７５】
一方、本発明の一実施例によれば、弾性部材１８０は、棒挿入桶１１０に収容されてブラシ支持片１２７の少なくとも一部の外周面に沿って置かれて、第１方向Ｄ１へ移動されたブラシ支持片１２７を第２方向Ｄ２に復元させる。これによって、プッシ部材１４３の他端１４３１に加えられる第１方向Ｄ１への外力が除去される場合、ブラシ支持片１２７は、第２方向Ｄ２へ移動することができ、棒挿入桶１１０を抜け出たブラシ１２９をもともに第２方向Ｄ２へ移動し、再び棒挿入桶１１０の先端部１１２内の空間部へ入って来ることができる。
【００７６】
この際、以下に説明するように、棒挿入桶１１０の先端部１１２内の空間部には、マニキュア液が存在するので、ブラシ１２９はマニキュア液に含浸されることになり、ユーザーはプッシ部材１４３を再び押してブラシについたマニキュア液を所望の位置に塗ることができる。
【００７７】
また、本発明の一実施例によれば、弾性部材１８０の固定のために、ブラシ支持手段１２０のブラシ支持片１２７と伸縮部１２３との間にリング型部材１２８が挿入固定されることができ、リング型部材１２８の反対側で弾性部材を固定するために以下に説明される案内部材１１８が活用されうる。すなわち、弾性部材１８０の一端は、案内部材１１８に固定され、他端はリング型部材１２８に固定されうる。
【００７８】
また、本発明の一実施例によれば、棒挿入桶１１０に形成された液流入ホール１１６１は、胴体部１５０の本体１５４の内部に存在するマニキュア液を棒挿入桶１１０の中間領域１１６の内部に流入させるか、または中間領域１１６の内部に存在するマニキュア液を本体１５４の内部に流出させる通路を形成する。
【００７９】
前述したように、棒挿入桶１１０にはブラシ支持手段１２０及び弾性部材１８０が収容され、プッシ部材１４３及び押棒１４５によって伸縮部１２３は棒挿入桶１１０内から第１方向Ｄ１へ延びたり、弾性部材１８０によって棒挿入桶１１０内から第２方向Ｄ２へ縮まる。
【００８０】
この際、伸縮部１２３の伸縮動作によって棒挿入桶１１０内には圧力が高くなることがあるが、本発明の一実施例によれば、棒挿入桶１１０に形成される多数の液流入ホール１１６１を通じてマニキュア液が棒挿入桶１１０の内外に疎通されることで、容器１００内で全体的な圧力は一定に維持することができる。
【００８１】
また、ユーザーがプッシ部材１４３を押して伸縮部１２３を伸縮させる度に容器１００内のマニキュア液が均等にまじることで、マニキュア液の硬化現象もまた予防することができる。
【００８２】
再び図２を参照すれば、マニキュア使用の時ユーザーのより便利な作業のために、本発明の一実施例によるプッシ部材１４３の他端１４３１には、第１方向Ｄ１を横切る方向へ摺動移動可能に形成される引っかかり部材１４７が結合されうる。
【００８３】
プッシ部材１４３が第１方向Ｄ１へ摺動移動が完了した位置、すなわち、ユーザーがマニキュアを使う時の位置で、引っかかり部材１４７は第１方向Ｄ１を横切る方向へ摺動移動することができ、これによって、引っかかり部材１４７の一端はが容器栓１７０の縁にかかってプッシ部材１４３の第２方向Ｄ２への移動が抑制されることができる。
【００８４】
これによって、ユーザーは、マニキュアを使うためにプッシ部材１４３を引き続けて押す必要がなく、引っかかり部材１４７を利用してプッシ部材１４３を固定させた後、楽に作業することができる。
【００８５】
逆に、ブラシ１２９に再びマニキュア液をつけるためにユーザーは引っかかり部材１４７を元々の位置に戻しておくことができ、この場合、前述した弾性部材１８０によってブラシ支持片１２７は、第２方向Ｄ２へ復元され、再びブラシ１２９は棒挿入桶１１０の先端部１１２の内部の空間部に入り込み、マニキュア液に含浸されることができる。
【００８６】
図５は、本発明の一実施例によって、ブラシ１２９が下に向ける時、化粧品容器１００内のマニキュア液１０の流れ（矢印）を模式的に示した図面である。
【００８７】
図５を参照すれば、棒挿入桶１１０の先端部１１２には、胴体部１５０に存在するマニキュア液を棒挿入桶１１０の先端部１１２の内部の空間部に流入させるための少なくとも一つの第１貫通ホール１１２１が形成されうる。
【００８８】
一例として、二つの第１貫通ホール１１２１が互いに見合わせる位置に形成されうる。そして、棒挿入桶１１０の先端部１１２の立ち上がり部分と第１貫通ホール１１２１の形成された中間部分周辺の外側は、胴体部１５０の先端部１５２の内側と離隔されるように形成され、棒挿入桶１１０先端部１１２の端部分１１２３の外側は、胴体部１５０の先端部１５２の内側と密着されるように形成されうる。
【００８９】
すなわち、ユーザーがマニキュアを使うためにブラシ１２９が下に向けるように容器１００を取った場合、本体１５４の内部に存在するマニキュア液１０は、棒挿入桶１１０の先端部１１２の外周面と胴体部１５０の先端部１５２との間の離隔された隙間に流れこみ、第１貫通ホール１１２１に流入されうる。また、棒挿入桶１１０先端部１１２の端部分１１２３の外側は、胴体部１５０の先端部１５２の内側と密着されるように形成されることで、マニキュア液が容器から漏れないようにする。
【００９０】
つまり、本体１５４に存在するマニキュア液をブラシ１２９が位置する棒挿入桶１１０先端部１１２の内部の空間部に流入させるために、先端部１１２の直径を長さ方向に沿って互いに異にすることで、棒挿入桶１１０の先端部１１２と胴体部１５０と先端部１５２との間に間隔を形成することも可能である。
【００９１】
図６は、本発明の他の実施例による棒挿入桶１１０の先端部１１２に対する拡大図を示した図面である。
【００９２】
図６を参照すれば、棒挿入桶１１０の先端部１１２の外周面に第２方向Ｄ２へ延びる溝１１２５を形成することで、棒挿入桶１１０の先端部１１２と胴体部１５０の先端部１５２との間に間隔を形成することも可能である。この場合にも、胴体部１５０の本体１５４の内部に存在するマニキュア液は、重力によって溝１１２５に沿って流れこみ、第１貫通ホール１１２１に流入されうる。
【００９３】
この際、本発明の一実施例による溝１１２５は、第２方向Ｄ２へ延びるが、その途中に第１方向Ｄ１へ延びる折り曲げ部１１２７を通じて第２方向Ｄ２へ延びることができる。すなわち、溝１１２５は、第１貫通ホール１１２１から第２方向Ｄ２へ延長されされながら折り曲げされて第１方向Ｄ１へ延び、再び折り曲げされて第２方向Ｄ２へ延びるような方式で形成されうる。
【００９４】
これはユーザーがマニキュア容器を使っている途中でブラシ１２９が上に向けるように覆す場合、折り曲げ部１１２７にマニキュア液を残存させることで、本体１５４の内部のマニキュア液が外部空気と直接的に接触することを防止する。
【００９５】
また、ユーザーがブラシ１２９が下に向けるように急に覆す場合、折り曲げ部１１２７に残存しているマニキュア液を通じて本体１５４の内部から第１貫通ホール１１２１に新たに流入されるマニキュア液に緩衝作用をすることで、マニキュア液が急に零れ落ちることを防止することができる。
【００９６】
図７は、本発明の一実施例によって、棒挿入桶１１０の先端部１１２にマニキュア液が流入される過程を示した図面である。
【００９７】
まず、図７Ａを参照すれば、ブラシ支持手段１２０のブラシ支持片１２７は、案内部材１１８に挿入された状態で第１方向及び第２方向へ移動可能である。この際、案内部材１１８は、棒挿入桶１１０の先端部１１２と中間領域１１６との間に固定された状態でブラシ支持片１２７の摺動移動を案内することができる。ブラシ支持片１２７の移動は、押棒１４５とプッシ部材１４３の動作によって可能になるということは前に説明したとおりである。
【００９８】
案内部材１１８によってブラシ支持片１２７の摺動移動が案内されうるように、案内部材１１８には案内ホール１１８１が形成される。また、案内部材１１８には案内ホール１１８１から第２方向Ｄ２へ延び、案内ホール１１８１の内径より大きい内径を有することでマニキュア液１０を収容する収容ホール１１８３が形成されることができる。
【００９９】
また、ブラシ支持片１２７には、ブラシ支持片１２７の一領域から突き出された拡径部１２７１が形成されうる。より詳細には、図７Ｂ及び７Ｃに示されたように、拡径部１２７１はブラシ支持片１２７の第１方向Ｄ１への移動に応じてともに移動して案内部材１１８の収容ホール１１８３に存在しているマニキュア液１０が棒挿入桶１１０の先端部１１２内の空間部に流入されるようにする。
【０１００】
このために、拡径部１２７１の外径は、案内部材１１８に形成される収容ホール１１８３の内径と相応することが好ましい。すなわち、拡径部１２７１は、収容ホール１１８３に密着された状態で収容ホール１１８３に存在するマニキュア液を第１方向Ｄ１へ押して先端部１１２に流入させる。
【０１０１】
そして、拡径部１２７１の収容ホール１１８３への進入時点から収容ホール１１８３の内部に存在するマニキュア液１０が先端部１１２に流入されうるように、ブラシ支持片１２７上には拡径部１２７１の下側領域には、外径が縮小された狭径部１２７３が形成される。
【０１０２】
狭径部１２７３は、ブラシ支持片１２７の外径を小さくして形成するか、またはブラシ支持片１２７に溝を掘って形成することができる。狭径部１２７３の外径は案内部材１１８に形成される案内ホール１１８１の内径よりも小さく形成される。
【０１０３】
ブラシ支持片１２７上に狭径部１２７３が形成される所定の区間は、図７Ｂに示されたように、拡径部１２７１が収容ホール１１８３に進入する場合、狭径部１１２３が案内ホール１１８１を脱することができるようにする区間に形成されることが好ましい。
【０１０４】
すなわち、拡径部１２７１が収容ホール１１８３に進入する時、狭径部１２７３をも棒挿入桶１１０の先端部１１２の内部に進入する。この際、収容ホール１１８３内に存在する拡径部１２７１によって第１方向Ｄ１へ移動して狭径部１２７３の外周面に沿ってマニキュア液１０が棒挿入桶１１０の先端部１１２内の空間部に流入されることができる。
【０１０５】
このような構造によって、ユーザーがマニキュア作業のためにプッシ部材１４３を押す時、棒挿入桶１１０の中間領域１１６に存在しているマニキュア液は、安定に先端部１１２内の空間部に充填されることができ、作業後マニキュア液が拭かれたブラシ１２９は、再び先端部１１２内の空間部へ後退して充填されたマニキュア液に含浸されうる。
【０１０６】
また、ユーザーがマニキュア作業のためにプッシ部材１４３を押した時、ブラシ１２９についたマニキュア液が少ない場合、もう一度プッシ部材１４３を押すことができ、この時前述したように拡径部１２７１及び狭径部１２７３は、収容ホール１１８３に存在するマニキュア液を先端部１１２へ追加して流入させることで、ブラシ１２９に充分なマニキュア液が含浸されうるようにする。
【０１０７】
一方、胴体部１５０の先端部１５２にはキャップ１９０が結合されることで、ブラシ１２９がマニキュア液に含浸される位置である棒挿入桶１１０の先端部１１２を外部の空気から遮断する。
【０１０８】
図８は、本発明の他の実施例による化粧品容器を示した斜視図、図９は、図８の化粧品容器の分解斜視図である。また、図１０は、図８のプッシ部材の断面図である。
【０１０９】
図８ないし図１０に示された構成の中で前述した図１ないし図７で説明した化粧品容器と同一の構成は同一の図面符号をつけており、それについての説明は略する。
【０１１０】
図８を参照すれば、図８Ａは、圧入手段２４０が突き出された場合の化粧品容器を示した図面であり、図８Ｂは圧入手段２４０が容器胴体部２５０に収容された場合を示した図面である。説明の便宜のために圧入手段２４０の一部領域の断面図をともに示した。
【０１１１】
図８を参照すれば、前記圧入手段２４３は、圧入手段２４３の他端２４３１から突出形成される突出部２４３２をさらに含むことができる。そして前記突出部２４３２と前記圧入手段２４３の他端２４３１との間には爪などを利用して圧入手段を容易く引き出すための環形の溝部２４３５が形成されることができる。
【０１１２】
前記突出部２４３２は、図８Ｂから分かるように圧入手段２４０が本体部２５０に収容される場合にも本体部２５０の外部に突き出されている。したがって、ユーザーは化粧品容器の使用時に突出部２４３２と前記突出部２４３２と圧入手段２４３の他端２４３１との間に形成された環形の溝部を利用して圧入手段２４３を化粧品容器の本体部２５０の外部へ容易く引き出すことができる。
【０１１３】
図９を参照すれば、本発明のまた他の実施例による化粧品容器２００は、内部が貫通形成された本体部２５０、前記本体部２５０の後方から内部に挿入される棒挿入桶２１０、前記棒挿入桶２１０の内部に挿入される圧入手段２４０、前記棒挿入桶２１０の内部に位置するブラシ支持手段２２０、前記ブラシ支持手段２２０を弾性的に移動可能にする弾性部材１８０、及び本体部の一側をカバーするキャップ１９０を含む。
【０１１４】
前記棒挿入桶２１０は、前記本体部２５０の後方から内部に挿入されて、本体部２５０に盛られる液状の材料が流入される少なくとも一つ以上の液流入ホール２１６１が形成されて、後段２１４には容器栓２１８が形成される。
【０１１５】
また、前記圧入手段２４０は、前記棒挿入桶２１０の内部に挿入されて、ハウジング１４１、ハウジング１４１に挿入されるプッシ部材２４３とプッシ部材２４３の貫通ホール２４３１Ａに挿入されてハウジング１４１の先端に突き出される押棒１４５を含む。
【０１１６】
より詳細には、押棒１４５は、前記プッシ部材２４３の一端２４３３と結合可能に形成される後段部１４５１、ブラシ支持手段２２０のブラシ支持片２２７と接触する先端部１４５５及びハウジング１４１を貫通して移動する中端部１４５３に区分することができる。
【０１１７】
押棒１４５の後段部１４５１は、図１０のプッシ部材２４３の断面図に示されたプッシ部材２４３の一端２４３３の内部に形成されたねじ線２４３３Ａとねじ結合方式により結合可能である。すなわち、解れ位置で押棒１４５の後段部１４５１とプッシ部材２４３の一端２４３３は分離し、ロック位置で押棒１４５の後段部１４５１とプッシ部材２４３の一端２４３３とは結合されうる。
【０１１８】
以上のような構造によってプッシ部材２４３は、解れ位置及びロック位置のうち、ロック位置でのみ押棒１４５を第１方向Ｄ１へ押して移動させることができる。また、前記ブラシ支持手段２２０は、前記ハウジング１４１を収容するハウジング収容部２２１、押棒１４５が挿入されるようにハウジング収容部２２１から延長形成され、押棒１４５の往復移動に応じて伸縮可能に形成される伸縮部２２３、伸縮部２２３から延長形成される連結部２２５、前記連結部２２５に一部が挿入されるブラシ支持片２２７を含む。前記ブラシ支持片２２７の先端にはブラシ２２９が備えられる。
【０１１９】
また、前記弾性部材１８０は、前記棒挿入桶２１０に収容されて、ブラシ支持片２２７の少なくとも一部の外周面に沿って置かれ、本体部２５０外部の第１方向Ｄ１へ移動されたブラシ支持片２２７を第１方向Ｄ１０に反対の第２方向Ｄ２へ復元させることができる。また、前記キャップ１９０は、本体部２５０の先端部２５２に結合可能である。
【０１２０】
以下では前記各構成要素の動作を含んでより詳しく説明する。まず、前記棒挿入桶２１０は、本体部２５０の後方から内部に挿入されて、容器栓２１８の外周面に形成された第１締結部２１８１と前記本体部２５０の後段２５６の内部に形成された第２締結部２５６１とが互いに締結されうる。
【０１２１】
棒挿入桶２１０の先端部２１２内部の一領域にはブラシ２２９が収容されて位置される。また、ブラシ支持手段２２０のハウジング収容部２２１は、圧入手段２４０のハウジング１４１を収容した状態で容器栓２１８に形成された貫通ホール２１８３に挟みこみ方式で挿入される。この時、ハウジング１４１の外周面にはハウジング収容部２２１との密着のためのねじ線形態の突出部１４１３が形成されうる。
【０１２２】
全体的に見れば、本発明のまた他の実施例による化粧品容器２００は、棒挿入桶２１０を基準よして他の構成要素らが結合した構造で、前に説明したように、ブラシ支持手段２２０のハウジング収容部２２１がハウジング１４１を収容したまま棒挿入桶２１０後段部２１４に形成された容器栓２１８の貫通ホール２１８３に挟み込み方式によって固定され、容器栓２１８に再び容器２５０の後段部２５６が固定されることで、化粧品容器１００の全体的な骨格を形成する。
【０１２３】
この時、容器栓２８１に形成された貫通ホール２１８３は、ハウジング収容部２２１の挟み込みによって密閉されるので、容器栓２８１の外周面に形成された第１締結部２１８１と容器２５０後段２５６の内部に形成された第２締結部２５６１が互いに締結される時、容器２５０内部の圧力増加によって結合が難しい場合がある。
【０１２４】
したがって、本発明のまた他の実施例によれば、第１締結部２１８１には棒挿入桶２１０の長さ方向に沿って空気通路の役目をする溝２１８５が形成されうる。これによって、マニキュア液が注入されている容器２５０に棒挿入桶２１０を挿入して結合する場合、内部空気が溝２１８５に沿って抜け出ることができるので、容器２５０と棒挿入桶２１０との結合を容易く遂行することができる。
【０１２５】
本体部２５０が硝子等を利用して形成される場合、通常的にねじ線等の締結部の間で空気の通路が確保されうるので、前記のような別途の溝２１８５構造を形成する必要性が大きくない。しかし、本体部２５０がプラスチック等の材質からなる場合には、溝形状でなる空気通路の存在が必要である。
【０１２６】
このような空気通路の形態はさまざまな方案により提供されうる。一例として、図１１は棒挿入桶先端部の断面図を示したもので、図面に示されたように、第１締結部２１８１の内側に垂直水平方向へ貫通された貫通ホール２１８７を形成して内部の空気が貫通ホール２１８７に沿って抜け出るようにすることも可能である。
【０１２７】
図１２は、本発明のまた他の実施例による化粧品容器の先端部の一部の断面を示した図面である。
【０１２８】
図１２を参照すれば、棒挿入桶２１０の先端部２１２の外側は、本体部２５０の先端部２５２の内側に密着されるように構成されうる。したがって、棒挿入桶２１０の先端部の外側と本体部２５０の先端部２５２の内側の間では、マニキュア液が漏水されない。この際、棒挿入桶２１０の先端部２１２の内側に流入されるマニキュア液は、図７で説明した原理と同様に流入されうる。
【０１２９】
すなわち、ブラシ支持片２２７は、ブラシ支持片２２７の一領域から突き出された拡径部２２７１及び拡径部２２７１の下側領域には外径が縮小された狭径部２２７３を含む。
【０１３０】
拡径部２２７１の外径は、収容ホール２１９１の内径に相応して、狭径部２２７３の外径は、案内ホール２１９１の内径より小さく形成される。また、案内ホール２１９１を貫通するブラシ支持片２２７の外径は、案内ホール２１９１の内径の大きさに対応されるように形成される。
【０１３１】
ブラシ支持片２２７が第１方向へ移動することによって拡径部２２７１及び狭径部２２７３は案内部材に進入し、拡径部２２７１が収容ホール２１９３に進入を始めた直後から狭径部２２７３は、案内ホール２１９１を脱し始める。
【０１３２】
この際、収容ホール２１９３内に存在する液状材料は、拡径部２２７１によって第１方向Ｄ１へ移動して狭径部２２７３の外周面に沿って棒挿入桶２１０先端部２１２内面の空間部２１２１に流入される。
【０１３３】
ブラシ支持片２２７の外径が案内ホール２１９１の内径の大きさに対応するように形成されるので、ブラシ支持片２２７の外径が案内ホール２１９１を貫通する時には、収容ホール２１９１に存在するマニキュア液が案内部材２１９を通じて空間部２１２１に流れるのこと遮断される。狭径部２２７３が案内ホール２１９１を通過する時点のみに収容ホール２１９１内のマニキュア液が空間部２１２１に流入されるようになる。したがって、収容ホール２１９１の大きさを調節して空間部２１２１に流入されるマニキュア液の量を調節することができる。
【０１３４】
また、ブラシ支持片２２７に形成される拡径部２２７１の断面形状は、図７における拡径部１１７１の断面形状である矢印模様ではない四角形状でありえる。すなわち、拡径部２２７１の断面形状は多様な形状で形成されることができる。また、案内部材２１９の先端部の内側形状は、拡径部２２７１が安着されうるように拡径部２２７１の断面形状に対応するように形成されうる。
【０１３５】
図１３は、本発明の他の実施例による化粧品容器の先端部の一部断面を示した図面であり、図１４は、図１３の実施例によるブラシ支持手段の斜視図である。図１３ないし図１４に示された構成らのうち前述した図１ないし図１３で説明した化粧品容器と同一の構成は同一の図面符号をつけており、それについての詳細な説明は略する。
【０１３６】
図１３ないし図１４を参照すれば、ブラシ支持片２２７は、ブラシ支持片２２７の一領域から突き出された拡径部３２７１、及び拡径部３２７１の下側領域に形成される少なくとも一つ以上の貫通ホールを３２７３Ａ、３２７３Ｂを含む。
【０１３７】
拡径部３２７１の外径は、収容ホール２１９１の内径に相応し、案内ホール２１９１を貫通するブラシ支持片２２７の外径は、案内ホール２１９１の内径の大きさに対応するように形成される。
【０１３８】
案内部材とブラシ支持片の一部領域を拡大した図１３のＡ領域及びＢ領域を参照すれば、ブラシ支持片２２７が第１方向Ｄ１へ移動することによって拡径部３２７１、第１貫通ホール３２７３Ａ及び第２貫通ホール３２７３Ｂは案内部材２１９に進入し、拡径部３２７１が収容ホール２１９３に進入を始めた後から第２貫通ホール３２７３Ｂは、案内ホール２１９１を脱し始める。この際、拡径部３２７１が案内部材２１９に進入するとき、収容ホール２１９３に加えられる圧力によって収容ホール２１９３内に存在する液状材料は、第１貫通ホール３２７３Ａに流入される。
【０１３９】
マニキュア液の流入によってブラシ支持片３２７内の中空内に存在するマニキュア液は、第２貫通ホール３２７３Ｂを通じて流出し始めて棒挿入桶２１６の空間部２１２１に流入される。
【０１４０】
図１５は、本発明の他の実施例による化粧品容器の斜視図である。
【０１４１】
本発明の一実施例による化粧品容器４００は、大きく分けてマニキュア液などの液状材料が貯蔵された胴体部４３０、前記胴体部４３０の一側に備えられう栓４１０、前記胴体部４３０の先端部に具備されるキャップ４２０を含む。
【０１４２】
胴体部４３０は、内部のマニキュア液が見える透明材質または半透明材質で形成されることができ、硝子または合成樹脂の素材など、いずれも使用可能である。
【０１４３】
キャップ４２０は、図１から分かるように、底面が平たく形成されているので、保管時にキャップが下側を向けるように立てておくことができる。
【０１４４】
図１６は、図１５の化粧品容器の動作を示した斜視図である。図１６Ａ及び図１６Ｂを参照すれば、胴体部４３０は、内部が貫通形成されて液状の材料が貯蔵される本体４３１及び前記本体４３１の後段に伸縮可能に形成される伸縮部４３３及びキャップ４２０が結合される先端部４３５を含むことができる。
【０１４５】
伸縮部４３３は、第１方向Ｄ１及び第２方向Ｄ２へ伸縮可能に形成される。このために、伸縮部４３３は柔軟性のある材質で形成されうる。図２において伸縮部４３３は、しわ形態の模様を有するものと仮定するが、伸縮動作のための多様な構造が適用されうることは勿論である。
【０１４６】
伸縮部４３３が外力によって第１方向Ｄ１へ圧縮される場合、マニキュア液がついたブラシ４５９が外部に突き出されて、ユーザーはマニキュア液がついたブラシ４５９を利用して爪または足指の爪にマニキュアを塗ることができる。
【０１４７】
図１７は、図１５の化粧品容器の分解斜視図である。図１７を参照すれば、本発明の一実施例による化粧品容器４００は、内部が貫通形成されて内部に液状の材料を保管する胴体部４３０、胴体部４３０の内部に挿入された後に胴体部４３０に貯蔵されたマニキュア液が流入される少なくとも一つ以上の液流入ホール４４３１が形成された棒挿入桶４４０を備える。
【０１４８】
また、化粧品容器４００は、棒挿入桶４４０の内部に挿入されるブラシ支持片４５０を含む。前記ブラシ支持片４５０は、先端部４５１にブラシ４５９が取り付けられ、前記ブラシ支持片４５０の一領域から突き出された拡径部４５３及びブラシ支持片４５０の一領域から突き出された突出部４５５を含むことができる。この時、突出部４５５は、拡径部４５３の上方に形成されうる。また、突出部４５５は、拡径部４５３の直径よりも大きく突き出されることができる。
【０１４９】
また、化粧品容器４００は、棒挿入桶４４０の後段へブラシ支持片４５０が挿入された後、棒挿入桶４４０の後段１４５に挿入されて棒挿入桶４４０を蜜閉する密閉栓４６０を含む。密閉栓４６０には貫通ホール４６１が形成される。
【０１５０】
密閉栓４６０の貫通ホール４６１には、伸縮部４３３の移動に応じて第１方向Ｄ１及び第２方向Ｄ２へ移動するプッシ部材４７０が挿入され、プッシ部材４７０の端１７１はブラシ支持片４５０の後段に形成された固定ホール４５７に挿入固定されることができる。
【０１５１】
一方、胴体部４３０の先端部４３５にはキャップ４２０が結合されることで、ブラシ４５９がマニキュア液に含浸される位置である棒挿入桶４４０の先端部４４１を外部の空気から遮断する。
【０１５２】
また、栓４１０が胴体部４３０の伸縮部４３３に結合され、マニキュア作業をしない場合、望んでいない外力によってブラシ４５９が棒挿入桶４４０から引き出されて損傷されることが発生しないように伸縮部４３３に栓４１０を結合することができる。
【０１５３】
図１８及び図１９は、図１５の化粧品容器の断面図である。この時、図１８はブラシが容器の内部に収容された場合の断面図であり、図１９は、ブラシが容器の外部に突き出された場合の断面図である。以下では、本発明の一実施例に係わる化粧品容器４００の動作についてより詳しく説明する。
【０１５４】
棒挿入桶４４０の先端部４４１の一領域には、外部に突き出された支承部４４１１が形成されて、棒挿入桶４４０は胴体部４３０の先端部４３５を通じて挿入され、支承部４４１１は胴体部４３０の先端部４３５の端によって支持される。
【０１５５】
棒挿入桶４４０の支承部４４１１下側の先端部４４１は、胴体部４３０の先端部４３５に外接する。
【０１５６】
弾性部材４８０は、棒挿入桶４４０に収容されてブラシ支持片４５０の少なくとも一部の外周面に沿って置かれる。ここで、弾性部材４８０の一端は、突出部４５５によって支持され、他端は案内部材４４７の端によって支持されうる。
【０１５７】
図１７において突出部４５５はリング型に突き出されたものと示されているが、多様な形態で突き出されることができるのは勿論であり、別途のリング型部材がブラシ支持片４５０に挿入固定されて弾性部材４８０の一端はを支持することも可能である。
【０１５８】
プッシ部材４７０は、伸縮部４３３の内部に収容されて、プッシ部材４７０の一面４７３と伸縮部４３３の内部の一面は互いに密着される。したがって、伸縮部４３３に第１方向Ｄ１へ外力が加えられる場合、プッシ部材４７０及びプッシ部材４７０の一端と結合されたブラシ支持片４５０は、第１方向Ｄ１へ移動する。この際、ブラシ支持片４５０の先端部４５１に取り付けられたブラシ４５９は、胴体部４３０の外部へ移動され、前記外力が除去される場合、弾性部材４８０はブラシ支持片４５０を第２方向へ移動させてブラシ４５９が胴体部４３０の内部に収容されるようにする。
【０１５９】
この際、伸縮部４３３の伸縮動作によって棒挿入桶４４０内には圧力が高くなることがありえるが、本発明の一実施例によれば、棒挿入桶４４０に形成される複数の液流入ホール４４３１を通じてマニキュア液１０が棒挿入桶４４０の内外に疎通されることで、胴体部４３０内で全体的な圧力は一定に維持されうる。
【０１６０】
また、ユーザーが伸縮部４３３を押して伸縮部４３３を伸縮させる度に胴体部４３０内にマニキュア液１０が均等にまじることで、マニキュア液１０の硬化現象もまた予防されうる。
【０１６１】
案内部材４４７は、棒挿入桶４４０の先端部４４１に挿入固定されて、ブラシ４５９が収容される空間部を形成する第１収容ホール４４７１、前記第１収容ホール４４７１から延長形成されてブラシ支持片４５０の第１方向Ｄ１及び第２方向Ｄ２への移動を案内する案内ホール４４７３、前記案内ホール４４７３から延長形成されて、前記案内ホール４４７３の内径より大きい内径を有することで、マニキュア液１０を収容する第２収容ホール４４７５を含む。
【０１６２】
図２０は、本発明の一実施例によってブラシが下に向ける時化粧品容器内のマニキュア液の流れ（矢印）を模式的に示した図面である。まず、図２０Ａを参照すれば、ブラシ支持片４５０の先端部４５１は、案内部材４４７に挿入された状態で第１方向及び第２方向へ移動可能である。
【０１６３】
この時、案内部材４４７は、棒挿入桶４４０の先端部４４１に固定された状態でブラシ支持片４５０の先端部４５１の摺動移動を案内することができる。ブラシ支持片４５０の移動は、伸縮部４３３とプッシ部材４７０の動作によって可能であることは前述したとおりである。
【０１６４】
また、ブラシ支持片４５０にはブラシ支持片４５０の一領域から突き出された拡径部４５３が形成されうる。より詳細には、図２０Ｂ及び図２０Ｃに示されたように、拡径部４５３はブラシ支持片４５０の第１方向Ｄ１での移動に応じてともに移動して案内部材４４７の第２収容ホール４４７５に存在しているマニキュア液が第１収容ホール４４７１と棒挿入桶４４０の先端部４４１内に形成される空間部に流入されるようにする。
【０１６５】
このために、拡径部４５３の外径は、案内部材４４７に形成される第２収容ホール４４７５の内径の大きさに対応するように形成され、案内ホール４４７３を貫通するブラシ支持片４５０先端部４５１の外径は、案内ホール４４７３の内径の大きさに対応するように形成される。
【０１６６】
すなわち、拡径部４５３は、第２収容ホール４４７５内に密着された状態で第２収容ホール４４７５に存在しているマニキュア液１０を第１方向Ｄ１へ押して第１収容ホール４４７１に流入させる。そして、拡径部４５３の第２収容ホール４４７５への進入時点から第２収容ホール４４７５の内部に存在しているマニキュア液１０が第１収容ホール４４７１に流入されうるように、拡径部４５３の下側領域には少なくとも一つ以上の貫通ホール４５１１、４５１３が形成されうる。
【０１６７】
図２０Ｂ及び２０Ｃを参照すれば、ブラシ支持片４５０が第１方向Ｄ１へ移動することによって拡径部４５３、第１貫通ホール４５１１及び第２貫通ホール４５１３は、案内部材４４７に進入して拡径部４５３が第２収容ホール４４７５に進入し始めた以後、第２貫通ホール４５１３は、案内ホール４４７３を脱し始める。この際、拡径部４５３が案内部材４４７に進入する時、第２収容ホール４４７５に加えられる圧力によって第２収容ホール４４７５内に存在するマニキュア液１０は、第１貫通ホール４５１１に流入される。
【０１６８】
マニキュア液１０の流入によってブラシ支持片４５０先端部４５１内の中空内に存在しているマニキュア液１０は、第２貫通ホール４５１３を通じて流出し始めて案内部材４４７の第１収容ホール４４７１と棒挿入桶４４０の先端部４４１によって形成されるブラシ４５９が安着される空間部に流入される。
【０１６９】
このような構造によって、ユーザーがマニキュア作業のために胴体部４３０の伸縮部４３３を押す時、棒挿入桶４４０内に存在するマニキュア液１０は、安定に先端部４４１と第１収容ホール４４７１内部の空間部に充填されることができ、作業後マニキュア液が拭かれたブラシ４５９は、再び先端部４４１と第１収容ホール４４７１の内部の空間部に後退して充填されたマニキュア液に含浸されうる。
【０１７０】
また、ユーザーがマニキュア作業のために伸縮部４３３を押した時、ブラシ４５９についたマニキュア液１０が少ない場合、もう一度伸縮部４３３を押すことができ、この時前述したように拡径部４５３、第１及び第２貫通ホール４５１１、４５１３は、第２収容ホール４４７５に存在しているマニキュア液１０を第１収容ホール４４７１に追加流入させることで、ブラシ４５９に充分なマニキュア液が含浸されうるようにする。
【０１７１】
図２１は、本発明の他の実施例によって棒挿入桶の先端部にマニキュア液が流入される過程を示す図面である。
【０１７２】
図２１に示された構成らのうち、前述した図１５ないし図２０で説明した化粧品容器と同一の構成らは同一の図面符号をつけており、それについての説明は略する。
【０１７３】
図２１では前に説明した化粧品容器の構成らのうち棒挿入桶の一部構成のみ異なるように具現され、これを中心として説明する。
【０１７４】
ブラシ支持片５５０にはブラシ支持片５５０の一領域から突き出された拡径部５５３が形成されうる。より詳細には、図２１Ｂ及び２１Ｃに示されたように、拡径部５５３は、ブラシ支持片５５０の第１方向Ｄ１への移動に応じてともに移動して案内部材４４７の第２収容ホール４４７５に存在しているマニキュア液１０が第１収容ホール４４７１の空間部に流入されるようにする。
【０１７５】
このために、拡径部５５３の外径は、案内部材４４７に形成される第２収容ホール４４７５の内径と相応することが好ましい。すなわち、拡径部５５３は、第２収容ホール４４７５に密着された状態で第２収容ホール４４７５に存在しているマニキュア液１０を第１方向Ｄ１へ押して第１収容ホール４４７１に流入させる。
【０１７６】
そして、拡径部５５３の第２収容ホール４４７５への進入時点から第２収容ホール４４７５の内部に存在しているマニキュア液１０が第１収容ホール４４７１に流入されうるように、拡径部５５３の下側領域には外径が縮小された狭径部５５５が形成される。狭径部５５５は、ブラシ支持片５５０の先端部５５１の外径を小さくして形成したり、または先端部５５１に溝を掘って形成することができる。狭径部５５５の外径は、案内部材４４７に形成される案内ホール４４７３の内径よりも小さく形成される。
【０１７７】
ブラシ支持片５５０の先端部５５１上に狭径部５５５が形成される所定の区間は、図７Ｂに示されたように、拡径部５５３が第２収容ホール４４７５に進入する場合、狭径部５５５が案内ホール４４７３を脱するようにする区間に形成されることが好ましい。
【０１７８】
すなわち、拡径部５５３が第２収容ホール４４７５に進入する時、狭径部４５５は、第１収容ホール４４７１の内部に進入する。この際、第２収容ホール４４７５内に存在するマニキュア液１０が拡径部５５３によって第１方向Ｄ１へ移動して狭径部５５５の外周面に沿って第１収容ホール４４７１が形成する空間部に流入されうる。
【０１７９】
従来にはマニキュアを塗る時通常的にユーザーのそばに瓶を置くようになるので、不注意によって瓶が倒れる恐れが常に存在しており、使用を終えた後ブラシを瓶に入れて栓を回す過程で、まだ乾かないマニキュアにきずが発生しえるため、再びマニキュアを塗らなければならないような不便さが存在する。
【０１８０】
また、マニキュア溶液にはシンナー成分が含有されているため、製品の特性から揮発性が強くて栓を完全に密閉させない以上、易しく揮発されるようになり、容器内のマニキュア液が固まるか、または変質されて製品としての機能が喪失されるという問題が存在する。
【０１８１】
しかし、前記の本発明によれば、プッシ部材を押して棒挿入桶の先端部に存在するマニキュア液に含浸されているブラシを棒挿入桶の外に取り出して、所望の位置にマニキュア作業をすることができ、使用が終わった後にはキャップを閉めて保管し、所望しない外力によってブラシが棒挿入桶から引き出されて損傷される事が発生しないように、プッシ部材をプッシ棒から分離することで外力が伝達されないようにすることができる。
【０１８２】
また、マニキュア作業時プッシ部材が本体部に収納されるので、美的審美感がある。また、本発明による化粧品容器は、使用が終わった後にキャップを閉めて保管することができる形状であり、ブラシを保護する機能と共に優れたデザイン的要素を含む製品である。
【０１８３】
また、棒挿入桶内部でブラシ支持手段の伸縮動作が繰り返されても容器内圧力を均等に分散させて液が容器の外部に漏れないようにすることで、容器の安全性を向上させる。
【０１８４】
また、プッシ部の他端に形成される引っかかり部材を通じてマニキュア作業の時ユーザーがプッシ部材を引き続き押すような不便さを解消する。
【符号の説明】
【０１８５】
１０      マニキュア液
１００    化粧品容器
１０２、１２９、４５９  ブラシ
１１０    棒挿入桶
１１２    先端部
１１２１  第１貫通ホール
１１４    後段部
１１６    中間領域
１１８    案内部材
１１８１  案内ホール
１１８３  収容ホール
１１２５、２１８５  溝
１１２７  折り曲げ部
１１６１  液流入ホール
１２０、２２０  ブラシ支持手段
１２１    ハウジング収容部
１２３、４３３  伸縮部
１２５    連結部
１２７    ブラシ支持片
４５３、５５３、１２７１  拡径部
１２７３、５５５  狭径部
１４０、２４０  圧入手段
１４１    ハウジング
１４３    プッシ部材
１４５    押棒
１５０、２５０  本体部
１８０、４８０  弾性部材
１９０、４２０  キャップ
２１０    棒挿入桶
２１８    容器栓
２１８１  第１締結部
４６１、２１８３  貫通ホール
２４３、４７０  プッシ部材
２４３２  突出部
２５６１  第２締結部
４００    化粧品容器
４１０、４６０  栓
４３１    本体
４３５    先端部
４４０    棒挿入桶
４４１    先端部
４４１１  支承部
４４３１  液流入ホール
４４７    案内部材
４５０、５５０  ブラシ支持片
４５１、５５１  先端部
４５５    突出部
４５７    固定ホール
４５１１  第１貫通ホール
４５１３  第２貫通ホール
【図１】
0006337201.tif 000002
【図２】
0006337201.tif 000003
【図３】
0006337201.tif 000004
【図４】
0006337201.tif 000005
【図５】
0006337201.tif 000006
【図６】
0006337201.tif 000007
【図７ａ】
0006337201.tif 000008
【図７ｂ】
0006337201.tif 000009
【図７ｃ】
0006337201.tif 000010
【図７ｄ】
0006337201.tif 000011
【図８ａ】
0006337201.tif 000012
【図８ｂ】
0006337201.tif 000013
【図９】
0006337201.tif 000014
【図１０】
0006337201.tif 000015
【図１１】
0006337201.tif 000016
【図１２】
0006337201.tif 000017
【図１３】
0006337201.tif 000018
【図１４】
0006337201.tif 000019
【図１５ａ】
0006337201.tif 000020
【図１５ｂ】
0006337201.tif 000021
【図１５ｃ】
0006337201.tif 000022
【図１５ｄ】
0006337201.tif 000023
【図１６】
0006337201.tif 000024
【図１７ａ】
0006337201.tif 000025
【図１７ｂ】
0006337201.tif 000026
【図１８】
0006337201.tif 000027
【図１９】
0006337201.tif 000028
【図２０】
0006337201.tif 000029
【図２１ａ】
0006337201.tif 000030
【図２１ｂ】
0006337201.tif 000031
【図２１ｃ】
0006337201.tif 000032
【図２２ａ】
0006337201.tif 000033
【図２２ｂ】
0006337201.tif 000034
【図２２ｃ】
0006337201.tif 000035